(57)【特許請求の範囲】
【請求項１】
水を蒸発させるための蒸発部材と、前記蒸発部材に水を供給する給水部材とを有する加湿器において、多数の前記蒸発部材を備える複数のエレメントブロックと、前記複数のエレメントブロックに対応するそれぞれの吐出口を有するものであって前記給水部材から供給される水を前記各吐出口から前記各エレメントブロックに向けて分配吐出するための分配器と、前記分配器の前記各吐出口側を相対的上位とし前記各エレメントブロック側を相対的下位として前記各吐出口側から前記各エレメントブロック側に水を導くものであって前記エレメントブロックごとにまたはそれより１つ少ない前記エレメントブロックに水を導くガイド部材と、を有することを特徴とする加湿器の給水構造。
【請求項２】
前記分配器に形成された前記複数の吐出口のうち１個の吐出口は鉛直下方に向けて開口する鉛直下方吐出口とし、その鉛直下方吐出口に対応する位置に前記ガイド部材を備えないようにし、前記鉛直下方吐出口以外の吐出口から吐出される水は前記ガイド部材を経由してそれぞれ前記各エレメントブロックに供給されることを特徴とする請求項１項記載の加湿器の給水構造。
【請求項３】
前記各エレメントブロックの上端に、前記分配器の前記各吐出口から吐出される水を受けて保持する浸透部材を備えたことを特徴とする請求項１または２記載の加湿器の給水構造。
【請求項４】
前記各エレメントブロックに備えられる前記多数の蒸発部材が互いに連結接続しており、前記各エレメントブロックの一部の蒸発部材に供給された水が前記各エレメントブロックの全ての蒸発部材に浸透することを特徴とする請求項１乃至３のいずれか１項記載の加湿器の給水構造。
【請求項５】
前記各エレメントブロックの下端が加湿器の外部に備えた貯留水に浸漬しないようにしたことを特徴とする請求項１乃至４のいずれか１項に記載の加湿器の給水構造。
【発明の詳細な説明】
【技術分野】
【０００１】
本発明は、水を蒸発させるための蒸発部材に水を供給する加湿器の給水構造に関する。
【背景技術】
【０００２】
従来から、空調機には、水を蒸発気化させて空気を加湿させる加湿器が組み込まれている。加湿器による加湿は、多数の蒸発部材（エレメント）を上下に配置して、蒸発部材の内部を上方から下方に水を流下させ、蒸発部材を流下する水に空気を当てることで、空気を加湿するものである。なお、加湿器の一例として特許文献１がある。
【０００３】
ここで、特許文献１の加湿器の構造を図８で示す。加湿器は、断面四角の長尺筒状の貯水槽５０を水平に配置し、その長尺筒状の貯水槽５０の内部において、上側に長尺の給水管５２を備え、その給水管５２の直ぐ下側に長尺の拡散布部５４を備えている。給水管５２の下面には多数の小孔５６が軸方向に等間隔で形成されている。給水管５２に供給された水は、給水管５２の等間隔で多数の小孔５６から、水平に配置された長尺の拡散布部５４に均等に供給される。長尺で筒状の貯水槽５０の下面には軸方向に多数の穴５８が形成されており、多数のそれぞれの穴５８を通して上端が拡散布部５４に固定されている蒸発部材（気化布部）６０が、貯水槽５０の内部から外部の下方に向けて備えられている。給水管５２から拡散布部５４に供給された水は、拡散布部５４から多数の蒸発部材６０を通して下方に向けて流下し、蒸発部材６０を通過する水に空気を当てることによって、空気が加湿される。
【先行技術文献】
【特許文献】
【０００４】
【特許文献１】特開平５−１７８２３７６
【発明の開示】
【発明が解決しようとする課題】
【０００５】
加湿器は空調機への搭載時に取り付けミスや調整ミスにより傾斜して取り付けられるおそれがあり、また、空調機自体が傾斜して取り付けられるおそれがある。図８に示す加湿器が傾斜した状態で取り付けられた場合には、給水管５２の小孔５６の高さに上下の差が発生し、各小孔５６から拡散布部５４に流出する供給水が、拡散布部５４に均一に供給されず、各蒸発部材６０を流下する水が均一にならないおそれがある。また、給水管５２が長い場合には、水の供給圧力に圧力差が生じ、この結果、各小孔５６から拡散布部５４に流出する供給水が、拡散布部５４に均一に供給されず、各蒸発部材６０を流下する水が均一にならないおそれがある。更に、供給水である水道水の中には溶解塩類（溶解塩類）が含まれているので、小孔５６には溶解塩類が蓄積されて溶解塩類が詰まる箇所も多々発生し、小孔５６から拡散布部５４に流出する供給水が、拡散布部５４に均一に供給されず、各蒸発部材６０を流下する水量が場所によっては均一にならず、均等な加湿を行うことができないという欠点があった。このように、空調機やそれに装着する加湿器が傾斜した場合には、多数の蒸発部材に水を均一に供給できず、均等な加湿を行うことができないという不具合がある。
【０００６】
多数の蒸発部材６０を流下する水が場所によっては均一にならないという欠点を解消するために、図８に示すように、空調機において加湿器の下位に受皿６２を備え、蒸発部材６０を流下する水を受皿６２内に溜めている。特許文献１では、受皿６２内に溜めた貯留水６４の中に全ての蒸発部材６０の下端を浸漬している。これによって、給水管５２からの水の供給が停止している間でも、全ての蒸発部材６０が毛細管現象によって受皿６２の貯留水６４を吸い上げて、蒸発部材６０を常時湿潤させ、蒸発部材６０の間を通過する空気を気化させることができる。
【０００７】
しかし、供給水である水道水の中には溶解塩類（カルキ）が含まれるので、受皿６２に蓄積された貯留水６４を毛細管現象によって吸上げる蒸発部材６０には溶解塩類が徐々に蓄積され、蒸発部材６０に蓄積された溶解塩類よって水の蒸発機能が短時間で著しく損なわれるという欠点を有する。また、空調機停止時には、受皿６２内に貯留水６４が残るため、その貯留水６４に雑菌が大量に発生し、雑菌が毛細管現象で蒸発部材６０に蓄積し、その後の加湿再開時に雑菌が空気中にばら撒かれるという欠点を有する。
【０００８】
本発明は上記問題点に鑑みてなされたものであり、空調機やそれに装着する加湿器が傾斜した状態で取付けられた場合でも、蒸発部材を通して均一に加湿することを可能にする加湿器の給水構造を提供することを目的とするものである。
【課題を解決するための手段】
【０００９】
本発明の加湿器の給水構造は、水を蒸発させるための蒸発部材と、前記蒸発部材に水を供給する給水部材とを有する加湿器において、多数の前記蒸発部材を備える複数のエレメントブロックと、前記複数のエレメントブロックに対応するそれぞれの吐出口を有するものであって前記給水部材から供給される水を前記各吐出口から前記各エレメントブロックに向けて分配吐出するための分配器と、前記分配器の前記各吐出口側を相対的上位とし前記各エレメントブロック側を相対的下位として前記各吐出口側から前記各エレメントブロック側に水を導くものであって前記エレメントブロックごとにまたはそれより１つ少ない前記エレメントブロックに水を導くガイド部材と、を有することを特徴とするものである。本発明は、前記分配器に形成された前記複数の吐出口のうち１個の吐出口は鉛直下方に向けて開口する鉛直下方吐出口とし、その鉛直下方吐出口に対応する位置に前記ガイド部材を備えないようにし、前記鉛直下方吐出口以外の吐出口から吐出される水は前記ガイド部材を経由してそれぞれ前記各エレメントブロックに供給されることを特徴とするものである。本発明は、前記各エレメントブロックの上端に、前記分配器の前記各吐出口から吐出される水を受けて保持する浸透部材を備えたことを特徴とするものである。本発明は、前記各エレメントブロックに備えられる前記多数の蒸発部材が互いに連結接続しており、前記各エレメントブロックの一部の蒸発部材に供給された水が前記各エレメントブロックの全ての蒸発部材に浸透することを特徴とするものである。本発明は、前記各エレメントブロックの下端が加湿器の外部に備えた貯留水に浸漬しないようにしたことを特徴とするものである。
【発明の効果】
【００１０】
本発明に係る加湿器の給水構造によれば、多数の蒸発部材（エレメント）を複数のエレメントブロックから構成し、それらのエレメントブロックより上位に配置した分配器から、傾斜した状態のガイド部材を経由してまたは鉛直方向自然落下によって各エレメントブロックに水を供給する。この結果、空調機やそれに装着する加湿器が傾斜した状態に設置されたとしても、各エレメントブロックに加湿に必要な水を充分に供給することができるので、各エレメントブロックを通して確実に加湿を行うことができる。また、従来は供給管に形成した小孔に溶解塩類等による詰りが発生するおそれがあったが、本発明では、分配器における各吐出口の大きさを任意の大きさに設定することができ、供給水に含まれる溶解塩類等の各吐出口での詰りを無くして、加湿器へ必要な水量を常に供給することができる。更に、本発明では、各エレメントブロックのそれぞれの蒸発部材に必要な水量を供給することができるため、従来のような蒸発部材の下端を受皿の貯溜水に浸漬させて毛細管現象による蒸発部材への水を湿潤の必要性を無くすことができる。この結果、受皿の貯溜水に含まれる雑菌が蒸発部材に付着するという特許文献１の欠点を防止することができる。その上、本発明において、各エレメントブロックの上端に水を吸収保持する浸透部材を備えれば、各エレメントブロックの多数の蒸発部材に水をより均一に行き渡らせることができる。
【図面の簡単な説明】
【００１１】
【図１】図１は本発明に係る加湿器の給水構造の実施例１を示す斜視図である。
【図２】図１の部分断面正面図である。
【図３】本発明に使用する分配アッセンブリの斜視図である。
【図４】図３に使用する給水管と分配器の斜視図である。
【図５】分配器の要部断面図である。
【図６】本発明の加湿器の給水構造の他の実施例を示す平面図である。
【図７】図６の分配器のＡ‐Ａ線断面図並びにＢ‐Ｂ線断面図である。
【図８】従来の加湿器の要部断面図である。
【発明を実施するための最良の形態】
【００１２】
本発明に係る加湿器の給水構造は、分配器の複数の吐出口から複数の各エレメントブロックに、傾斜したガイド部材を経由して水を分配供給するものである。
【実施例１】
【００１３】
以下、本発明を図面に基づいて説明する。図１は本発明に係る加湿器の給水構造の１実施例を示す斜視図、図２は図１の部分断面正面図、図３は本発明に係る加湿器の給水構造の分配アッセンブリの斜視図、図４は給水分配器と分配器の斜視図、図５は分配器の断面図である。加湿器１０には、複数のエレメントブロック１２（例えば、第１エレメントブロック１２ａ，第２エレメントブロック１２ｂ，第３エレメントブロック１２ｃの３個のエレメントブロック）を備えている。各エレメントブロック１２ａ，１２ｂ，１２ｃには、上下方向に配置された多数の蒸発部材（エレメント）１４Ａ，１４Ｂ（図２）を有している。蒸発部材１４Ａは平面板状の加湿用エレメントであり、蒸発部材１４Ｂは波形板状の加湿用エレメントであり、蒸発部材１４Ａと蒸発部材１４Ｂが交互に多数平行に配置されている。なお、蒸発部材１４Ａ，１４Ｂはこの形状に限るものではなく、例えば蒸発部材１４Ｂは蒸発部材１４Ａと同一形状であっても良い。また、多数の蒸発部材１４Ａと蒸発部材１４Ｂとは、互いに連結接続されており、各エレメントブロック１２ａ，１２ｂ，１２ｃの一部の蒸発部材１４Ａ，１４Ｂに水が供給された場合であっても、各エレメントブロック１２ａ，１２ｂ，１２ｃの全ての蒸発部材１４Ａ，１４Ｂに水が浸透することが望ましい。
【００１４】
第１エレメントブロック１２ａ，第２エレメントブロック１２ｂ，第３エレメントブロック１２ｃの上部には、水を一時的に保持する高さの低い立方体形状のものであって各エレメントブロック１２ａ，１２ｂ，１２ｃにそれぞれに対応する第１浸透部材１６ａ，第２浸透部材１６ｂ，第３浸透部材１６ｃが備えられている。第１浸透部材１６ａ，第２浸透部材１６ｂ，第３浸透部材１６ｃは、水平またはほぼ水平な状態で各エレメントブロック１２ａ，１２ｂ，１２ｃの上部に備えられる。第１浸透部材１６ａ，第２浸透部材１６ｂ，第３浸透部材１６ｃのそれぞれの下面と、第１エレメントブロック１２ａ，第２エレメントブロック１２ｂ，第３エレメントブロック１２ｃのそれぞれの多数の蒸発部材１４Ａ，１４Ｂの上端とが接合されており、第１浸透部材１６ａ，第２浸透部材１６ｂ，第３浸透部材１６ｃのそれぞれに供給された水は、各エレメントブロック１２ａ，１２ｂ，１２ｃの全ての蒸発部材１４Ａ，１４Ｂに浸透して下方に流下するように設定されている。
【００１５】
第１エレメントブロック１２ａ，第２エレメントブロック１２ｂ，第３エレメントブロック１２ｃに対応して備えられる第１浸透部材１６ａ，第２浸透部材１６ｂ，第３浸透部材１６ｃの上方に、分配アッセンブリ１８が備えられる。分配アッセンブリ１８は、上部が開口した容器状のハウジング２０と、ハウジング２０に固定された分配器２２と、容器状のハウジング２０内に備えられる２個のガイド部材２４（２４ｂ，２４ｃ）とを有する。分配器２２には、内部に水が導入される水導入空間２６と、一方をその水導入空間２６と通じ他方を外部と通じる第１吐出口２８ａ，第２吐出口２８ｂ，第３吐出口２８ｃと、が形成されている。加湿器１０は、分配アッセンブリ１８やガイド部材２４を覆うカバー（図示せず）を備えている。吐出口２８ａ，２８ｂ，２８ｃの数は、エレメントブロック１２ａ，１２ｂ，１２ｃの数に対応して設定される。分配器２２の第１吐出口２８ａ，第２吐出口２８ｂ，第３吐出口２８ｃの高さは、第１エレメントブロック１２ａ，第２エレメントブロック１２ｂ，第３エレメントブロック１２ｃ（第１浸透部材１６ａ，第２浸透部材１６ｂ，第３浸透部材１６ｃ）の充分上方に配置される。分配器２２には給水部材３０が接続固定され、図示しない給水手段から給水部材３０に水が導入される。給水部材３０に導入された水は、給水部材３０から分配器２２の水導入空間２６を経由して、第１吐出口２８ａ，第２吐出口２８ｂ，第３吐出口２８ｃから外部に分配吐出される。
【００１６】
容器状の分配アッセンブリ１８のハウジング２０の底面３２には、第１水通過穴３６ａ，第２水通過穴３６ｂ，第３水通過穴３６ｃが形成されており、第１水通過穴３６ａ，第２水通過穴３６ｂ，第３水通過穴３６ｃの下位には、それぞれ第１浸透部材１６ａ，第２浸透部材１６ｂ，第３浸透部材１６ｃが配置されている。分配器２２の第１吐出口（鉛直下方吐出口）２８ａの鉛直方向の下方には、ハウジング２０の底面３２に形成されている第１水通過穴３６ａが配置されており、その第１水通過穴３６ａの下方には、第１浸透部材１６ａが備えられている。ハウジング２０の底面３２に形成されている第１水通過穴３６ａの大きさは、考えられる角度で加湿器１０が傾斜した状態であっても、第１吐出口２８ａから吐出される水が自然落下で第１水通過穴３６ａを通過して第１浸透部材１６ａに供給されるように設定する。従って、分配器２２の第１吐出口２８ａから吐出される水は、ハウジング２０の底面３２の第１水通過穴３６ａを通って鉛直下方に自然落下し、第１浸透部材１６ａに供給される。よって、第１浸透部材１６ａに供給された水は第１浸透部材１６ａ内に均一に行き渡り、第１浸透部材１６ａに接合されている第１エレメントブロック１２ａの各蒸発部材１４Ａ，１４Ｂに均一に浸透する。なお、第１浸透部材１６ａを用いないで、分配器２２の第１吐出口２８ａから吐出される水は、第１エレメントブロック１２ａの一部の箇所の蒸発部材１４Ａ，１４Ｂに直接落下させるようにしても良い。その場合には、多数の蒸発部材１４Ａと蒸発部材１４Ｂとは互いに連結接続されているため、第１エレメントブロック１２ａの全ての蒸発部材１４Ａ，１４Ｂにその後水が浸透する。
【００１７】
容器状の分配アッセンブリ１８の内部には、２個のガイド部材２４が備えられているが、１個のガイド部材２４は、分配器２２の第２吐出口２８ｂから外部に向けて吐出する水をハウジング２０の底面３２の第２水通過穴３６ｂに導くための第２ガイド部材２４ｂであり、もう１個のガイド部材２４は、分配器２２の第３吐出口２８ｃから外部に向けて吐出する水をハウジング２０の底面３２の第３水通過穴３６ｃに導くための第３ガイド部材２４ｃである。ガイド部材２４の数は、浸透部材１６ａ，１６ｂ，１６ｃの数（エレメントブロック１２ａ，１２ｂ，１２ｃの数）と同数かそれより１個少ない数とする。分配器２２の第１吐出口２８ａから吐出される水は、鉛直下方に自然落下して第１浸透部材１６ａに供給されるため、実施例１においてはガイド部材２４の数は２個で済ませても良い。あるいは、分配器２２の第１吐出口２８ａから吐出される水を図示はしていないガイド部材で受けるようにしても良い。分配器２２の高さは、ハウジング２０の底面３２の高さより充分高位置に配置されているため、第２ガイド部材２４ｂも第３ガイド部材２４ｃも、分配器２２側を相対的上位とし、分配アッセンブリ１８の底面３２側を相対的下位とし、上下に傾斜した状態に設置する。即ち、許容される範囲で加湿器が傾斜した状態に取り付けられた場合でも、第２ガイド部材２４ｂも第３ガイド部材２４ｃも共に、分配器２２側が相対的に高位置となり、分配アッセンブリ１８の底面３２側が相対的に低位置となるように、第２ガイド部材２４ｂの傾斜状態や、第３ガイド部材２４ｃの傾斜状態を確保するように設定する。
【００１８】
分配器２２の第２吐出口２８ｂから外部に向けて吐出した水は、加湿器１０が傾斜した状態に取り付けられても、傾斜状態の第２ガイド部材２４ｂの上を流れて、底面３２に形成した第２水通過穴３６ｂに至り、その第２水通過穴３６ｂから第２浸透部材１６ｂに落下供給される。第２浸透部材１６ｂは水平またはほぼ水平に配置されているので、第２浸透部材１６ｂに落下供給された水は第２浸透部材１６ｂ内に均一に行き渡り、第２浸透部材１６ｂに接合されている第２エレメントブロック１２ｂの各蒸発部材１４Ａ，１４Ｂに均一に浸透する。なお、分配器２２の第２吐出口２８ｂから吐出される水は、第２浸透部材１６ｂ抜きで、第２エレメントブロック１２ｂの各蒸発部材１４Ａ，１４Ｂに直接落下させるようにしても良い。
【００１９】
同様に、分配器２２の第３吐出口２８ｃから外部に向けて吐出した水は、加湿器１０が傾斜した状態に取り付けられても、傾斜状態の第３ガイド部材２４ｃの上を流れて、底面３２に傾斜した第３水通過穴３６ｃに至り、その第３水通過穴３６ｃから第３浸透部材１６ｃに落下供給される。第３浸透部材１６ｃは水平またはほぼ水平に配置されているので、第３浸透部材１６ｃに落下供給された水は第３浸透部材１６ｃ内に均一に行き渡り、第３浸透部材１６ｃに接合されている第３エレメントブロック１２ｃの各蒸発部材１４Ａ，１４Ｂに均一に浸透する。なお、分配器２２の第３吐出口２８ｃから吐出される水は、第３浸透部材１６ｃ抜きで、第３エレメントブロック１２ｃの各蒸発部材１４Ａ，１４Ｂに直接落下させるようにしても良い。
【００２０】
ここで、第１エレメントブロック１２ａ，第２エレメントブロック１２ｂ，第３エレメントブロック１２ｃが同一形状である場合には、第１浸透部材１６ａ，第２浸透部材１６ｂ，第３浸透部材１６ｃを同一形状とし、分配器２２の第１吐出口２８ａ，第２吐出口２８ｂ，第３吐出口２８ｃから吐出される水量の断面積を等しいものとすることが望ましい。しかし、分配器２２の第１吐出口２８ａ，第２吐出口２８ｂ，第３吐出口２８ｃから供給される水量は、各エレメントブロック１２ａ，１２ｂ，１２ｃの蒸発部材１４Ａ，１４Ｂを流下する水量は各エレメントブロックの加湿量以上であれば良いため、このため、第１吐出口２８ａ，第２吐出口２８ｂ，第３吐出口２８ｃから供給される水量を必ずしも正確な量に設定する必要はない。
【００２１】
図２に示すように、加湿器１０の下端には、排出口３８を形成した下部ハウジング４０が取り付けられている。各エレメントブロック１２ａ，１２ｂ，１２ｃの多数の蒸発部材１４Ａ，１４Ｂを流下した水は、下部ハウジング４０に形成した排出口３８を通して、加湿器１０の下方に排出される。加湿器１０から下方に排出された水は、空調機に備えられた受皿（図示せず）で受けられる。本発明では、加湿器１０の下端である下部ハウジング４０は、空調機に備えられた受皿内に溜められる水に浸漬することが無いように設定される。
【００２２】
以上のように、本発明に係る加湿器の給水構造によれば、充分上方に配置した分配器２２の複数の吐出口２８ａ，２８ｂ，２８ｃからそれぞれ自然落下(ガイド部材無し)または傾斜したガイド部材２４ｂ，２４ｃを経由して、下位に配置した複数のエレメントブロック１２ａ，１２ｂ，１２ｃに、水を供給するものである。これによって、空調機へ搭載される加湿器自体または空調機が傾斜した場合でも、各エレメントブロック１２ａ，１２ｂ，１２ｃに、分配器２２の複数の吐出口２８ａ，２８ｂ，２８ｃからそれぞれ水を供給することができ、各エレメントブロック１２ａ，１２ｂ，１２ｃを通過する空気に均一な加湿を行うことができる。なお、各エレメントブロック１２ａ，１２ｂ，１２ｃに１個のガイド部材から水を供給した例を示したが、各エレメントブロック１２ａ，１２ｂ，１２ｃに、２個以上のガイド部材から水を供給しても良い。
【００２３】
従来の加湿器（図８）では、供給管に形成した小孔５６に溶解塩類等による詰りが発生したが、本発明では、各エレメントブロック１２ａ，１２ｂ，１２ｃへの水は、分配器２２に設けたそれぞれの吐出口２８ａ，２８ｂ，２８ｃから供給し、しかも各エレメントブロック１２ａ，１２ｂ，１２ｃの蒸発部材１４Ａ，１４Ｂに各エレメントブロックの加湿量より多い量の水を供給流下させるので、分配器２２に設ける吐出口２８ａ，２８ｂ，２８ｃの大きさは大きく（任意に）設定することができる。このため、引用文献１のような供給水に含まれる溶解塩類等によって多数の小孔が詰るという不具合を無くすことができ、均一な加湿を確保することができる。
【００２４】
本発明では、各エレメントブロック１２ａ，１２ｂ，１２ｃの下部に取り付けられる排出口３８を形成した下部ハウジング４０（エレメントブロックの下端）は、特許文献１のような空調機に備えた受皿内の貯溜水（加湿器１０の外部に備えた貯溜水）に浸漬することはしない。即ち、各エレメントブロック１２ａ，１２ｂ，１２ｃの蒸発部材１４Ａ，１４Ｂを、加湿器１０の外部に備えた貯溜水に浸漬させることはしない。よって、エレメントブロック１２ａ，１２ｂ，１２ｃの蒸発部材１４Ａ，１４Ｂが受皿内に発生する雑菌で汚染される不具合を防止することができる。また、受皿に貯まる水の溶解塩類が毛細管現象でエレメントブロック１２ａ，１２ｂ，１２ｃの蒸発部材１４Ａ，１４Ｂに堆積して、蒸発部材１４Ａ，１４Ｂの目詰まりという不具合を防止することができる。
【実施例２】
【００２５】
本発明の他の実施例を図６及び図７に基づいて説明する。図６は本発明に係る加湿器の給水構造の他の実施例を示す平面図、図７は図６に示す分配器のＡ‐Ａ線断面図並びにＢ‐Ｂ線断面図である。図１並びに図２においては、エレメントブロック１２を３個用いたものを示したが、図６及び図７では、エレメントブロックを５個用いるものを示す。図６及び図７において、図１乃至図５と同一参照番号は同一部材を示すものである。実施例２における加湿器は、第１エレメントブロック１２ａ，第２エレメントブロック１２ｂ，第３エレメントブロック１２ｃの他に、第４エレメントブロック１２ｄと第５エレメントブロック１２ｅとの２個を加え、合計５個のエレメントブロック１２を備えるものである。各エレメントブロック１２の上部には、それぞれ水を一時的に保持する高さの低い立方体形状の
第１浸透部材１６ａ，第２浸透部材１６ｂ，第３浸透部材１６ｃ，第４浸透部材１６ｄ，第５浸透部材１６ｅが水平またはほぼ水平に備えられており、各浸透部材１６ａ，１６ｂ，１６ｃ，１６ｄ，１６ｅの下面には、エレメントブロック１２ａ，１２ｂ，１２ｃ，１２ｄ，１２ｅのそれぞれの蒸発部材１４Ａ，１４Ｂの上端が接合されている。以下、実施例２が実施例１と異なる点について説明する。
【００２６】
各エレメントブロック１２ａ，１２ｂ，１２ｃ，１２ｄ，１２ｅ（第１浸透部材１６ａ，第２浸透部材１６ｂ，第３浸透部材１６ｃ，第４浸透部材１６ｄ，第５浸透部材１６ｅ）の上方に、エレメントブロック１２ａ，１２ｂ，１２ｃ，１２ｄ，１２ｅの全てに跨る分配アッセンブリ４２が備えられる。分配アッセンブリ４２は、上部が開口した容器状のハウジング４４と、ハウジング４４に固定された分配器４６と、ハウジング４４内に備えられる４個のガイド部材２４(２４ｂ，２４ｃ，２４ｄ，２４ｅ)とを有する。図７に示すように、分配器４６には、内部に水導入空間２６と、その水導入空間２６から外部へ通じる第１吐出口２８ａ，第２吐出口２８ｂ，第３吐出口２８ｃ，第４吐出口２８ｄ，第５吐出口２８ｅが形成されている。図７のＡ−Ａ断面図に示すように、第１吐出口２８ａ，第２吐出口２８ｂ，第３吐出口２８ｃ，水導入空間２６が同一断面に形成されている。図７のＢ−Ｂ断面図に示すように、第４吐出口２８ｄ，第５吐出口２８ｅ，水導入空間２６が同一断面に形成されている。なお、第１吐出口２８ａは、Ａ−Ａ断面図に示したが、それに代えて、Ｂ−Ｂ断面図に示しても良い。
【００２７】
容器状の分配アッセンブリ４２の底面４８には、第１水通過穴３６ａ（図５参照），第２水通過穴３６ｂ，第３水通過穴３６ｃ，第４水通過穴３６ｄ，第５水通過穴３６ｅが形成されており、第１水通過穴３６ａ，第２水通過穴３６ｂ，第３水通過穴３６ｃ，第４水通過穴３６ｄ，第５水通過穴３６ｅの下位には、それぞれ第１浸透部材１６ａ，第２浸透部材１６ｂ，第３浸透部材１６ｃ，第４浸透部材１６ｄ，第３浸透部材１６ｅが配置されている。
【００２８】
容器状の分配アッセンブリ４２の内部には、第２ガイド部材２４ｂ，第３ガイド部材２４ｃ，第４ガイド部材２４ｄ，第５ガイド部材２４ｅが備えられている。第２ガイド部材２４ｂは分配器２２の第２吐出口２８ｂから吐出される水を受けて、底面４８の第２水通過穴３６ｂに導くためのものであり、その第２ガイド部材２４ｂの下端は第２水通過穴３６ｂの上に配置されている。第３ガイド部材２４ｃは分配器２２の第３吐出口２８ｃから吐出される水を受けて、底面４８の第３水通過穴３６ｃに導くためのものであり、その第３ガイド部材２４ｃの下端は第３水通過穴３６ｃの上に配置されている。第４ガイド部材２４ｄは分配器２２の第４吐出口２８ｄから吐出される水を受けて、底面３２の第４水通過穴３６ｄに導くためのものであり、その第４ガイド部材２４ｄにおける第４吐出口２８ｄとは反対側の端は第４水通過穴３６ｄの上に配置されている。第５ガイド部材２４ｅは分配器２２の第５吐出口２８ｅから吐出される水を受けて、底面４８の第５水通過穴３６ｅに導くためのものであり、その第５ガイド部材２４ｅにおける第５吐出口２８ｅの反対側の端は第５水通過穴３６ｅの上に配置されている。
【００２９】
なお、分配器４６の第１吐出口２８ａから供給される水は、ガイド部材無しに、浸透部材１６ａに直接落下供給するようにしても良いが、ガイド部材を経由して浸透部材１６ａに落下供給するようにしても良い。ガイド部材２４の数は、浸透部材１６ａ，１６ｂ，１６ｃ，１６ｄ，１６ｅの数（エレメントブロック１２ａ，１２ｂ，１２ｃ，１２ｄ，１２ｅの数）と同数かそれより１個少ない数とする。分配器４６の高さは、分配アッセンブリ４２の底面４８の高さより充分高位置に配置されている。第４ガイド部材２４ｄも第５ガイド部材２４ｅも、分配器２２側を相対的に高位置とし、分配アッセンブリ４２の底面４８側を相対的に低位置とし、上下に傾斜した状態に設置される。許容される範囲で加湿器が傾斜した状態に取り付けられたとして、その傾斜した状態であっても、第４ガイド部材２４ｄも第５ガイド部材２４ｅも共に、分配器２２側が相対的に高位置となり、分配アッセンブリ４２の底面４８側が相対的に低位置となるように、第４ガイド部材２４ｄの傾斜状態や、第５ガイド部材２４ｅの傾斜状態を設定する。
【００３０】
分配器４６の吐出口２８ａ，２８ｂ，２８ｃ，２８ｄ，２８ｅから吐出された水は、加湿器が傾斜した状態であっても、吐出口２８ａから吐出された水は鉛直下方に流出し、吐出口２８ｂ，２８ｃ，２８ｄ，２８ｅから吐出された水は傾斜した状態の各ガイド部材２４ｂ，２４ｃ，２４ｄ，２４ｅの上を流れて、水通過穴３６ａ，３６ｂ，３６ｃ，３６ｄ，３６ｅを経由して、浸透部材１６ａ，１６ｂ，１６ｃ，１６ｄ，１６ｅに供給される。浸透部材１６ａ，１６ｂ，１６ｃ，１６ｄ，１６ｅに供給された水は、各浸透部材１６ａ，１６ｂ，１６ｃ，１６ｄ，１６ｅ内に均一に行き渡り、各浸透部材１６ａ，１６ｂ，１６ｃ，１６ｄ，１６ｅに接合されているエレメントブロック１２ａ，１２ｂ，１２ｃ，１２ｄ，１２ｅの各蒸発部材１４Ａ，１４Ｂに均一に浸透する。なお、分配器２２の吐出口２８ａ，２８ｂ，２８ｃ，２８ｄ，２８ｅから吐出される水は、浸透部材１６ａ，１６ｂ，１６ｃ，１６ｄ，１６ｅを備えないで、エレメントブロック１２ａ，１２ｂ，１２ｃ，１２ｄ，１２ｅの蒸発部材１４Ａ，１４Ｂに直接落下させるようにしても良い。
【符号の説明】
【００３１】
１０  加湿器
１２ａ，１２ｂ，１２ｃ，１２ｄ，１２ｅ  エレメントブロック
１４Ａ，１４Ｂ  蒸発部材
１６ａ，１６ｂ，１６ｃ，１６ｄ，１６ｅ  浸透部材
１８  分配アッセンブリ
２２  分配器
２４ｂ，２４ｃ，２４ｄ，２４ｅ  ガイド部材
２８ａ  鉛直下吐出口
２８ｂ，２８ｃ，２８ｄ，２８ｅ  吐出口
３０  給水部材
３４ａ，３４ｂ，３４ｃ，３４ｄ，３４ｅ  水通過穴
３８  排出口
４０  下部ハウジング
４２  分配アッセンブリ
４６  分配器
【図１】
0005485791.tif 000002
【図２】
0005485791.tif 000003
【図３】
0005485791.tif 000004
【図４】
0005485791.tif 000005
【図５】
0005485791.tif 000006
【図６】
0005485791.tif 000007
【図７】
0005485791.tif 000008
【図８】
0005485791.tif 000009